(57)【要約】【課題】開閉機構（開閉部材）を後付けできる建具を提供する。【解決手段】枠体５と、枠体５に開閉可能に支持される障子１２と、障子１２で切られる一方の側と他方の側を連通させる通気部１６とを備えた建具Ａにおいて、通気部１６を開閉する開閉部材１９と、枠体５又は障子１２の表面に着脱可能に固着され、開閉部材１９を開閉可能に保持する保持部材１８とを備える。【選択図】図５
2015227563.tif 000002
【特許請求の範囲】
【請求項１】
枠体と、該枠体に開閉可能に支持される障子と、該障子で仕切られる一方の側と他方の側を連通させる通気部とを備えた建具において、
前記通気部を開閉する開閉部材と、
前記枠体又は前記障子の表面に着脱可能に固着され、前記開閉部材を開閉可能に保持する保持部材とを備えていることを特徴とする建具。
【請求項２】
請求項１記載の建具において、
前記枠体又は前記障子に前記一方の側に露出した被固定面が設けられ、
前記保持部材が前記被固定面に当接して固定されることを特徴とする建具。
【請求項３】
請求項２記載の建具において、
前記枠体又は前記障子に、前記被固定面に連接し、見付け方向に突出する突出面が設けられ、
前記保持部材が前記被固定面と前記突出面に当接する断面略Ｌ字状に形成されていることを特徴とする建具。
【発明の詳細な説明】
【技術分野】
【０００１】
本発明は、換気経路を備えた建具に関する。
【背景技術】
【０００２】
従来、例えば浴室と脱衣室の間の開口部に設置される折り戸や開き戸、引き戸などの建具には、浴室内で換気扇などを駆動するとともに脱衣室側から自動的に浴室内に通気するための換気経路（通気部）が設けられている。
【０００３】
また、このような換気経路は、開口部の内周に設置される枠体の縦枠や上枠、下枠、あるいは枠体に開閉可能に支持される戸体の框（上桟、下桟、縦桟）などの一面に吸気口（導入口）、他面に排気口（導出口）を設けて形成されている。さらに、換気経路を開閉するための開閉機構が設けられ、例えば、換気扇などを駆動するとともにその付勢力によって開閉機構の開閉部材が正方向に回動して吸気口を開き、駆動を停止すると逆方向に回動して吸気口を閉じるように構成されている（例えば、特許文献１参照）。
【先行技術文献】
【特許文献】
【０００４】
【特許文献１】特開２０１０−１０６４９１号公報
【発明の概要】
【発明が解決しようとする課題】
【０００５】
しかしながら、上記従来の建具においては、枠体等に直接開閉部材を取り付ける取付部が設けられ、且つこの取付部が吸気口の換気経路側の内側に配設されているため、開閉部材を後付けすることができない。すなわち、既存の建具に対して開閉部材を取り付けることができない。
【０００６】
本発明は、上記事情に鑑み、開閉機構（開閉部材）を後付けできる建具を提供することを目的とする。
【課題を解決するための手段】
【０００７】
上記の目的を達するために、この発明は以下の手段を提供している。
【０００８】
本発明の建具は、枠体と、該枠体に開閉可能に支持される障子と、該障子で仕切られる一方の側と他方の側を連通させる通気部とを備えた建具において、前記通気部を開閉する開閉部材と、前記枠体又は前記障子の表面に着脱可能に固着され、前記開閉部材を開閉可能に保持する保持部材とを備えていることを特徴とする。
【０００９】
また、本発明の建具においては、前記枠体又は前記障子に前記一方の側に露出した被固定面が設けられ、前記保持部材が前記被固定面に当接して固定されることが望ましい。
【００１０】
さらに、本発明の建具においては、前記枠体又は前記障子に、前記被固定面に連接し、見付け方向に突出する突出面が設けられ、前記保持部材が前記被固定面と前記突出面に当接する断面略Ｌ字状に形成されていることがより望ましい。
【発明の効果】
【００１１】
本発明の建具においては、通気部を開閉する開閉部材が枠体に対し、保持部材を介して固定される。これにより、開口部に設置された枠体又は障子に対して保持部材を取り付け、この保持部材に取り付けて開閉部材を着脱可能に配設することができる。よって、開閉部材を後付けすることが可能になる。
【図面の簡単な説明】
【００１２】
【図１】本発明の第１実施形態に係る建具及び開閉機構を示す斜視図である。
【図２】本発明の第１実施形態に係る建具の通気部を示す断面図である。
【図３】本発明の第１実施形態に係る建具の開閉機構を示す断面図である。
【図４】本発明の第１実施形態に係る建具の開閉機構の分解斜視図である。
【図５】本発明の第１実施形態に係る建具の開閉機構を示す断面図であり、（ａ）が通気部を開いた状態、（ｂ）が通気部を閉じた状態を示す図である。
【図６】本発明の第１実施形態に係る建具の開閉機構の取り付け時の状況を示す斜視図である。
【図７】本発明の第２実施形態に係る建具及び開閉機構を示す斜視図である。
【図８】本発明の第２実施形態に係る建具の通気部を示す断面図である。
【図９】本発明の第２実施形態に係る建具の開閉機構を示す断面図である。
【図１０】本発明の第２実施形態に係る建具の開閉機構の分解斜視図である。
【図１１】本発明の第２実施形態に係る建具の開閉機構を示す断面図であり、（ａ）が通気部を開いた状態、（ｂ）が通気部を閉じた状態を示す図である。
【図１２】本発明の第２実施形態に係る建具の開閉機構の取り付け時の状況を示す図であり、下方から斜め上を臨む斜視図である。
【図１３】ビス打ち用治具を示す斜視図である。
【図１４】図１３のビス打ち用治具を用いてビス止めを行う手順を示す図である。
【図１５】ビス打ち用治具を示す斜視図である。
【図１６】図１５のビス打ち用治具を用いてビス止めを行う手順を示す図である。
【図１７】ビス打ち用治具を示す斜視図である。
【図１８】図１７のビス打ち用治具を用いてビス止めを行う手順を示す図である。
【発明を実施するための形態】
【００１３】
以下、図１から図６を参照し、本発明の第１実施形態に係る建具について説明する。
【００１４】
本実施形態の建具Ａは、例えば浴室と脱衣室の間の開口部に設けられる折り戸であり、図１に示すように、一対の縦枠１、２、上枠３、下枠４からなり、開口部の内周に配設された枠体５と、上框（上桟）６、下框（下桟）７、一対の縦框（縦桟）８、９の框１０及び面材１１からなり、枠体５に開閉可能に支持された障子（本実施形態では戸体）１２とを備えて構成されている。
【００１５】
また、本実施形態では、図１及び図２に示すように、障子１２を閉じた状態で戸先と対峙する枠体５の一方の縦枠１の脱衣室側に、見付け方向Ｔ１に突出する凸部１５が設けられている。そして、本実施形態の建具Ａにおいては、障子１２を閉じた状態で、この障子１２の戸先を形成する一方の縦框８と凸部１５の見込み方向Ｔ２の間、戸先と一方の縦枠１の見付け方向Ｔ１の間にそれぞれ隙間が形成され、これら隙間によって脱衣室側の一方の側Ｒ１と浴室側の他方の側Ｒ２を連通させる通気部（換気経路）１６が形成されている。
【００１６】
一方、本実施形態の建具Ａは、図１及び図３に示すように、通気部１６を開閉する開閉機構１７を備えている。
そして、本実施形態の開閉機構１７は、一方の縦枠１に固着して配設される保持部材１８と、保持部材１８に回動自在に支持される開閉部材１９と、開閉部材１９を回動させるための操作部材２０とを備えて構成されている。
【００１７】
保持部材１８は、例えばアルミ型材などであり、図１、図３、図４に示すように、直交する一側部１８ａ及び他側部１８ｂを備えて断面略Ｌ字状に形成され、且つ枠体５や障子１２の高さ寸法に応じた所定の長さで形成されている。また、一側部１８ａには、内面から裏面に貫通するネジ孔２１が上下方向Ｔ３に所定の間隔をあけて複数設けられている。さらに、一側部１８ａは、先端側が裏面から内面に向かう方向に折れ曲り、この先端部に、断面略円形状に膨出形成してなるヒンジ軸部２２が設けられ、上下方向Ｔ３の上端から下端まで延設されている。
【００１８】
そして、このように形成された保持部材１８は、一側部１８ａを、枠体５の一方の縦枠１の見付け方向Ｔ１を向き一方の側Ｒ１に露出する被固定面（表面）１ａに当接させ、他側部１８ｂを、被固定面１ａに連接し、見付け方向Ｔ１に突出する凸部１５の突出面（表面）１ｂに当接させて位置決めし、ネジ孔２１から一方の縦枠１にネジ止めして固着されている。
【００１９】
また、図４に示すように、保持部材１８の上端と下端にそれぞれ、例えば樹脂製のキャップ部材２３が嵌合しネジ止めして取り付けられている。このとき、キャップ部材２３を取り付けるためのネジ孔を上下方向Ｔ３に延びる長孔にするなどし、キャップ部材２３の取付位置を調整できるようにすると、キャップ部材２３を含めた保持部材１８の上下方向Ｔ３の長さを適宜調節できる。
【００２０】
一方、本実施形態の開閉部材１９は、図１、図３、図４に示すように、枠体５や障子１２の高さ寸法に応じた所定の長さで形成された帯板状の開閉フィン部２４と、開閉フィン部２４の一側端部に一体形成されるとともに保持部材１８のヒンジ軸部２２に係合し、開閉部材１９を上下方向Ｔ３に延びるヒンジ軸部２２の軸線Ｏ１周りに回動可能に支持させるためのヒンジ受部２５と、ヒンジ受部２５から突出し、上下方向Ｔ３に所定の長さをもって延設された係合部２６とを備えて構成されている。
【００２１】
操作部材２０は、所定の間隔をあけて並設された一方の側板部２０ａ及び他方の側板部２０ｂと、両側板部２０ａ、２０ｂの一側端同士を繋ぐ連接部２０ｃとを備えて形成されている。また、一方の側板部２０ａの他側端には、開閉部材１９の係合部２６が係合する溝状の係合受部２７が形成されている。
【００２２】
さらに、操作部材２０は、一方の側板部２０ａと他方の側板部２０ｂの間に、一方の縦枠１に設けられた凸部１５（及び／又は保持部材１８の他側部１８ｂ）を挿入し、凸部１５（及び／又は保持部材１８の他側部１８ｂ）に案内されて見付け方向Ｔ１に進退自在に配設されている。
【００２３】
さらに、本実施形態では、図４及び図６に示すように、ガイド部材３０を保持部材１８の他側部１８ｂにビス止めして固着し、操作部材２０の一方の側板部２０ａと他方の側板部２０ｂの間にガイド部材３０を挿入して、操作部材２０を保持部材１８に取り付ける。
【００２４】
そして、本実施形態の開閉機構１７においては、図５に示すように、操作部材２０の一方の側板部２０ａに設けられた係合受部２７に開閉部材１９の係合部２６を係合することにより、操作部材２０を見付け方向Ｔ１に進退させるとともに開閉部材１９をヒンジ軸部２２の軸線Ｏ１周りに回動させることができ、開閉フィン部２４で通気部１６を開閉することができる。
【００２５】
また、本実施形態の操作部材２０には、図５（図１、図３）に示すように、操作部材２０を進退させ、開閉フィン部２４によって通気部１６を閉じる位置と、通気部１６を開く位置にそれぞれ配されると、この操作部材２０を自動的に保持するための位置決め機構３１が設けられている。
【００２６】
また、操作部材２０には、他方の側板部２０ｂの表面に、外側に突出する指掛け部３２が設けられており、この指掛け部３２に指をかけて見付け方向Ｔ１の前後に押すことで操作部材２０を容易に進退させることができる。
【００２７】
そして、上記構成からなる本実施形態の建具Ａにおいては、図６（ａ）に示すように、キャップ部材２３とガイド部材３０を取り付けた保持部材１８を枠体５の一方の縦枠１にネジ止めし、保持部材１８に操作部材２０を取り付けるとともに、図６（ｂ）に示すように、保持部材１８のヒンジ軸部２２にヒンジ受部２５を係合させて開閉部材１９を取り付けることで、開閉機構１７が建具Ａに容易に且つ着脱可能に具備される。
【００２８】
よって、本実施形態の建具によれば、開閉部材１９を後付けすることが可能になる。
【００２９】
また、本実施形態の建具Ａにおいては、枠体５に一方の側Ｒ１に露出した被固定面１ａが設けられ、この被固定面１ａに保持部材１８を当接させて固定することにより、保持部材１８を枠体５に容易に固定することができる。
【００３０】
さらに、本実施形態の建具Ａにおいては、保持部材１８の固定位置を通気部１６に対する開閉部材１９の位置に関連し、これが開閉部材１９の開閉性能ひいては気密性、操作性を左右することになるが、枠体５に、被固定面１ａと、この被固定面１ａに連接し、見付け方向Ｔ１に突出する突出面１ｂを設け、保持部材１８が被固定面１ａと突出面１ｂに当接することにより、確実且つ容易に保持部材１８を位置決めして固定でき、開閉性を担保できる。
【００３１】
次に、図７から図１２を参照し、本発明の第２実施形態に係る建具について説明する。
【００３２】
本実施形態の建具Ｂは、例えば浴室と脱衣室の間の開口部に設けられる引き戸であり、図７に示すように、第１実施形態と同様、一対の縦枠１、２及び上枠３、下枠４からなり、開口部の内周に沿って配設される枠体５と、上框６、下框７、一対の縦框８、９の框１０及び面材１１からなり、枠体に開閉可能に支持される障子（本実施形態では戸体）１２とを備えて構成されている。
【００３３】
また、本実施形態では、図７及び図８に示すように、障子１２を閉じた状態で戸先と対峙する枠体５の一方の縦枠１の脱衣室側に、見込み方向Ｔ２に所定の間隔をあけて配設され、見付け方向Ｔ１に突出する一対の凸部１５が設けられている。そして、本実施形態の建具Ｂにおいては、障子１２を閉じた状態で、この障子１２の戸先を形成する一方の縦框８が一対の凸部１５の間に係合し、一方の縦框８と一対の凸部１５の見込み方向Ｔ２の間、戸先と一方の縦枠１の見付け方向Ｔ２の間にそれぞれ隙間が形成され、これら隙間によって脱衣室の一方の側Ｒ１と浴室の他方の側Ｒ２を連通させる通気部（換気経路）１６が形成されている。
【００３４】
一方、本実施形態の建具Ａの開閉機構３５は、図７及び図９に示すように、一方の縦枠１に固着して配設される保持部材３６と、保持部材３６に回動自在に支持されて配設される開閉部材３７とを備えて構成されている。
【００３５】
保持部材３６は、例えばアルミ型材などであり、図７、図９、図１０に示すように、直交する一側部３６ａ及び他側部３６ｂを備えて断面略Ｌ字状に形成され、且つ枠体５や障子１２の高さ寸法に応じた所定の長さで形成されている。また、一側部３６ａには、内面から裏面に貫通するネジ孔２１が上下方向Ｔ３に所定の間隔をあけて複数設けられている。さらに、一側部３６ａと他側部３６ｂが繋がる角部付近に、断面略円形状のヒンジ孔を形成するヒンジ受部３８が上端から下端まで上下方向Ｔ３に延設されている。
【００３６】
そして、このように形成された保持部材３６は、一側部３６ａを、枠体５の一方の縦枠１の見付け方向Ｔ１を向き一方の側Ｒ１に露出する被固定面１ａに当接させ、他側部３６ｂを、被固定面１ａに連接し、見付け方向Ｒ１に突出する凸部１５の突出面１ｂに当接させて位置決めし、ネジ孔２１から一方の縦枠１にネジ止めして固着されている。
【００３７】
また、保持部材３６の上端と下端にそれぞれ、例えば樹脂製のキャップ部材２３が嵌合しネジ止めして取り付けられている。このとき、キャップ部材２３を取り付けるためのネジ孔を上下方向Ｔ３に延びる長孔にするなどし、キャップ部材２３の取付位置を調整できるようにすると、キャップ部材２３を含めた保持部材３６の上下方向Ｔ３の長さを適宜調節できる。
【００３８】
開閉部材３７は、上下方向Ｔ３に所定の長さをもって形成されるとともに、保持部材３６のヒンジ受部３８に係合し、開閉部材３７を上下方向Ｔ３に延びる回動軸線Ｏ１周りに回動可能に支持させるヒンジ軸部３９を一側端側に備えた開閉フィン部４０と、開閉フィン部４０の一側端から外側に突出するように開閉フィン部４０に着脱可能に取り付けられ、開閉部材３７を閉じた状態で障子１２の縦框８に当接して通気部１６を閉塞させるための当接パッキン部４１とを備えて構成されている。
【００３９】
そして、本実施形態の開閉機構３５においては、図１１に示すように、開閉フィン部４０に外側に突出する指掛け部３２が設けられており、この指掛け部３２に指をかけて開閉フィン部４０を押すことで、開閉部材３７を回動軸線周りに回動させることができ、開閉フィン部４０及び当接パッキン部４１で通気部１６を開閉させることができる。
【００４０】
さらに、本実施形態の開閉機構３５においては、図１１（図７、図９）に示すように、保持部材３６（他側部３６ｂ）に着脱可能に爪部材４５が取り付けられており、通気部１６を閉じる位置に回動するとともに開閉部材３７に爪部材４５が引っ掛かり、この爪部材４５によって開閉部材３７を自動的に保持する位置決め機構４６が設けられている。
【００４１】
そして、上記構成からなる本実施形態の建具Ｂにおいては、図１２に示すように、キャップ部材２３を取り付けた保持部材３６を枠体５の一方の縦枠１にネジ止めし、図１１に示すように、保持部材３６のヒンジ受部３８にヒンジ軸部３９を係合させて開閉部材３７を取り付けることで、開閉機構３５が建具Ｂに容易に且つ着脱可能に具備される。
【００４２】
よって、本実施形態の建具Ｂによれば、開閉部材３７を後付けすることが可能になる。
【００４３】
また、本実施形態の建具Ｂにおいては、枠体５に一方の側Ｒ１に露出した被固定面１ａが設けられ、この被固定面１ａに保持部材３６を当接させて固定することにより、保持部材３６を枠体５に容易に固定することができる。
【００４４】
さらに、本実施形態の建具Ｂにおいては、枠体５に、被固定面１ａと、この被固定面１ａに連接し、見付け方向Ｔ１に突出する突出面１ｂを設け、保持部材３６が被固定面１ａと突出面１ｂに当接することにより、確実且つ容易に保持部材３６を位置決めして固定でき、開閉性を担保できる。
【００４５】
以上、本発明に係る建具の第１、第２実施形態について説明したが、本発明は上記の第１、第２実施形態に限定されるものではなく、その趣旨を逸脱しない範囲で適宜変更可能である。
【００４６】
例えば、第１実施形態では、障子１２が折り戸であるものとして説明を行ったが、第１実施形態の開閉機構１７は障子１２が開き戸であっても適用可能である。
【００４７】
また、第１、第２実施形態では、本発明に係る保持部材１８、３６と開閉部材１９、３７を備えた開閉機構１７、３５を枠体５に取り付けて設置するものとした。さらに、縦枠１と縦框８の間に通気部１６が形成され、この上下方向Ｔ３に延びる通気部１６を開閉するように開閉機構１７、３５を設けるものとした。また、第１、第２実施形態では、建具Ａ、Ｂが戸体（障子１２）を備えて構成されているものとした。
これに対し、本発明に係る保持部材１８、３６と開閉部材１９、３７を備えた開閉機構１７、３５を障子１２の框１０に取り付けて設置するようにしてもよい。また、本発明の建具Ａ、Ｂをサッシ窓等の窓とし、枠体５と、框１０及び面材１１とからなる窓体（障子１２）に本実施形態と同様の開閉機構を設けて構成してもよい。さらに、上枠３と上框６の間や、下枠４と下框７の間に通気部１６を設け、この横方向に延びる通気部１６を開閉するように開閉機構を設けてもよい。
【００４８】
そして、上記のように構成した場合においても、第１、第２実施形態と同様の作用効果を得ることが可能である。
【００４９】
ここで、保持部材１８、３６を枠体５等にビス止めして固定する場合、特に既存の建具（枠体５）に開閉機構１７、３５の保持部材１８、３６を後付けで固定する場合には、ビスが斜めに打ち込まれ、見栄えが悪くなったり、所望の固定強度が得られなくなるおそれがある。
【００５０】
これに対し、確実にビスを真っ直ぐに打ち込むため、例えば、図１３及び図１４、図１５及び図１６、図１７及び図１８に示すように、枠体５の凸部１５等に係合させるとともに、枠体５等の延設方向に沿う一方向（見込み方向Ｔ２）の移動を規制した状態で枠体５に着脱可能に取り付けるための略ブロック状の係止部５０を備え、この係止部５０の後面５０ａから前面５０ｂに向けて真っ直ぐにビス挿通孔５１を貫通形成してなるビス打ち用治具５２を用いることが望ましい。
【００５１】
また、このビス打ち用治具５２は、図１３及び図１４に示すように、ビス挿通孔５１が形成された部分の前面５０ｂが他の部分の前面５０ｂよりも後面５０ａ側に配されるように係止部５０を形成し、後面５０ａ側に凹設された部分の前面５０ｂからビス挿通孔５１と同軸Ｏ２上に配され、このビス挿通孔５１に連通しつつ軸線Ｏ２方向に突設したビスガイド部５３を備えて形成してもよい。この場合、スリットを設けるなどし、弾性変形してその径を拡幅可能にビスガイド部５３を形成することが望ましい。
【００５２】
このように形成したビス打ち用治具５２は、図１４（ａ）に示すように、保持部材１８を枠体５等の所定位置に配設するとともに、保持部材１８を間に配しつつ係止部５０を枠体５等に係合させる。また、ビス打ち用治具５２を一方向Ｔ２に直交し枠体５の延設方向に沿う他方向（上下方向Ｔ３）にスライド移動させることで、所定のビス止め位置上にビス挿通孔５１及びビスガイド部５３を位置決めすることができる。
【００５３】
そして、図１４（ａ）及び図１４（ｂ）に示すように、係止部５０の後面側からビス５４をビス挿通孔５１に挿入し、さらにビスガイド部５３に挿入して保持させる。また、図１４（ｃ）、図１４（ｄ）に示すように、回転工具（不図示）をビス挿通孔５１に挿入するとともにビス５４に係合させ、この回転工具でビス５４を打ち込む。
【００５４】
このとき、係止部５０が枠体５等に係合し、ビス挿通孔５１の位置が固定され、且つビス５４が弾性変形して拡径するビスガイド部５３によってその軸線Ｏ２を真っ直ぐに保持できるため、確実にビス５４を真っ直ぐに打ち込むことができる。
【００５５】
また、回転工具がビス挿入孔５１の内周面でガイドされるので、打ち込み時の回転工具のブレを防止でき、誤って回転工具がブレて保持部材１８、３６の表面を傷つけることがない。
【００５６】
これにより、保持部材１８を枠体５等にビス止めして固定する場合、特に既存の建具（枠体５）に開閉機構１７の保持部材１８を後付けで固定する場合においても、ビス５４が斜めに打ち込まれることを回避できる。すなわち、従来のように、ビス５４が斜めに打ち込まれて見栄えが悪くなったり、所望の固定強度が得られないという不都合を招くことなく、精度よくビス止め作業を行うことが可能になる。
【００５７】
また、図１５及び図１６に示すように、スリットなどのアタッチメント取付部５５を係止部５０に設けておき、このアタッチメント取付部５５にアタッチメント５６を着脱可能に取り付けてビス打ち用治具５２を構成してもよい。
【００５８】
この場合には、アタッチメント５６を取り付けることで、係止部５０の大きさ、形状等を枠体５等の形状に合わせて調節することができる。これにより、所望の大きさ、形状のアタッチメント５６を取り付けることで、確実に係止部５０を枠体５等に係合させ、ビス挿通孔５１を所望の位置に配した状態で保持することができる。また、複数のアタッチメント５６を用意しておくことで、あらゆる枠体５等の形状に対応することが可能になる。
【００５９】
さらに、図１７及び図１８に示すように、凹部５７を設けて係止部５０を形成し、この凹部５７によって干渉物、障害物との干渉を回避できるようにビス打ち用治具５２を構成してもよい。
【００６０】
この場合には、確実にビス打ち用治具５２を所定の位置に設置することができ、確実に係止部５０を枠体５等に係合させ、ビス挿通孔５１の位置を固定し、ビス５４を真っ直ぐに打ち込むことができる。
【００６１】
なお、上記のようなビス打ち用治具５２は、保持部材１８、３６を枠体５等に固着するために限定して用いなくてもよい。例えば枠体５を開口部にビス止めして固定するために用いてもよく、あらゆるビス止め作業に用いることが可能である。
【符号の説明】
【００６２】
１      縦枠
１ａ    被固定面（表面）
１ｂ    突出面（表面）
２      縦枠
３      上枠
４      下枠
５      枠体
６      上框（上桟）
７      下框（下桟）
８      縦框（縦桟）
９      縦框（縦桟）
１０    框
１１    面材
１２    障子
１５    凸部
１６    通気部（換気経路）
１７    開閉機構
１８、３６    保持部材
１９、３７    開閉部材
【図１】
2015227563.tif 000003
【図２】
2015227563.tif 000004
【図３】
2015227563.tif 000005
【図４】
2015227563.tif 000006
【図５】
2015227563.tif 000007
【図６】
2015227563.tif 000008
【図７】
2015227563.tif 000009
【図８】
2015227563.tif 000010
【図９】
2015227563.tif 000011
【図１０】
2015227563.tif 000012
【図１１】
2015227563.tif 000013
【図１２】
2015227563.tif 000014
【図１３】
2015227563.tif 000015
【図１４】
2015227563.tif 000016
【図１５】
2015227563.tif 000017
【図１６】
2015227563.tif 000018
【図１７】
2015227563.tif 000019
【図１８】
2015227563.tif 000020